(57)【要約】【課題】コネクタ用開口とコネクタとの隙間から針金等の異物を挿入した不正行為を防止する。【解決手段】回路基板収納ケースを、前ケース５０、後ケース５１及びカバー５２から構成する。前ケース５０に設けられる開口５５の周縁部に、係止爪５７を備えた周壁５６を設ける。遊技制御回路基板４０を、他の装置や、他の回路基板と電気的に接続させる場合には、ケーブル６５の端部に設けられたケーブル側コネクタ７０を基板側コネクタ４９に接続した後に、ケーブル６５に組み付けられたカバー５２をケーブル側コネクタ７０に向けてスライドさせる。カバー５２には、周壁５６が収納される収納部を備えており、この収納部に周壁５６を挿入すると、係止爪５７を構成する壁面５７ｂと収納部を構成する内壁面６７ｇとが当接する。これにより、前ケース５０の開口５５がカバー５２によって被覆され、カバー５２が前ケース５０に固定される。【選択図】        図９
2006198257.tif 000002
【特許請求の範囲】
【請求項１】
回路基板がケース内部に収納され、該回路基板に設けられた基板側コネクタにケーブル側コネクタを接続させる際に、該ケーブル側コネクタが挿通されるコネクタ用開口を備えた回路基板収納ケースにおいて、
前記コネクタ用開口の周縁部に、ケース外部に向けて突出するように設けられた周壁と、
前記周壁に設けられた係止爪と、
前記ケーブル側コネクタを有するケーブルが挿通される挿通孔を有し、前記係止爪と係合することによって前記コネクタ用開口を被覆するカバーと、を備えたことを特徴とする回路基板収納ケース。
【請求項２】
前記カバーは、その内部に前記周壁が挿入される挿入部を備え、該挿入部に前記係合爪が係合される係合部が設けられていることを特徴とする請求項１記載の回路基板収納ケース。
【請求項３】
前記コネクタ開口の周縁部には、前記収納される回路基板に向けて突出する隔離壁を備えていることを特徴とする請求項１又は２記載の回路基板収納ケース。
【発明の詳細な説明】
【技術分野】
【０００１】
本発明は、制御回路基板等の回路基板を収納する回路基板収納ケースに関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、遊技媒体の供給に基づいて作動させるランプ装置や音声発生装置などの様々な各種駆動装置及びこれら駆動装置を制御する制御回路基板を含む制御回路装置を備えており、遊技者が遊技を行う際にこれらを適宜作動させることによって遊技を興趣に溢れたものとしている。また、近年では、所定の識別情報（図柄）を変動表示し得るリール表示装置や、液晶画像表示装置等の図柄可変表示装置を内蔵し、所定条件を満たしたときに識別情報を変動させた後に停止表示させるように図柄可変表示装置を作動させるものが主流となっている。これらの装置は制御回路基板によって制御されている。
【０００３】
最近の遊技機の内部に配設されている制御回路基板は、その基板上に設けられたＣＰＵ（Ｃｅｎｔｒａｌ  Ｐｒｏｃｅｓｓｉｎｇ  Ｕｎｉｔ）が、制御プログラムに従って電子制御を行うものが一般的である。制御プログラムは、基板上に装着されたマスクＲＯＭ（Ｒｅａｄ  Ｏｎｌｙ  Ｍｅｍｏｒｙ）などのメモリチップにデータとして記憶されており、ＣＰＵは、遊技状態に応じてメモリチップから制御プログラムのデータを逐次読み出して実行することによって制御を行っている。
【０００４】
また、遊技場に設置される遊技機は、制御プログラムが不正に改変されないよう管理されており、制御回路基板を基板収納ケースに収納し、その基板収納ケースを、筐体内又は本体基部の所定部材に組み付けるなどして、制御プログラムが不正に改変されないように配慮がなされている（特許文献１）。さらに、制御プログラムのデータが記憶されたメモリチップは、装着されている基板上から容易に外すことができないよう、封印シールが貼付されるなどして、制御プログラムが不正に交換されて改変されないように配慮がなされている。遊技機にはこのような高いセキュリティが求められている。
【０００５】
一方、基板収納ケースに収納された制御回路基板は、他の制御回路基板や駆動装置に対してケーブル等によって電気的に接続されることが一般的である。このようにケーブル等によって電気的に接続する場合、制御回路基板に設けられた基板側コネクタとケーブルの端部に設けられたコネクタとを接続させる必要があり、現在の基板収納ケースには、これらを接続させるための開口（以下、コネクタ用開口と称する）が形成されている。この開口は、基板側コネクタと、ケーブル側コネクタとを接続させる際の作業が行いやすいように、所定のクリアランスを設けた大きさとなっている。
【特許文献１】特開２００１−２７６３８８号公報
【発明の開示】
【発明が解決しようとする課題】
【０００６】
しかしながら、このようにクリアランスを設けて開口を形成した場合、開口とコネクタとの間に隙間が生じることになり、この隙間に針金等の異物を挿入して、回路基板ケースに収納された制御回路基板を短絡させるという不正行為が行われるという問題がある。例えばクリアランスを小さくすれば、このような不正行為を防止することは可能であるが、回路基板ケースに収納される制御回路基板の基板側コネクタと、ケーブル側コネクタとを接続させる際の作業性が悪くなるという問題が生じることになり、単にクリアランスを小さくすればよいというものではないというのが現状である。
【０００７】
本発明は、上記課題を解決するためになされたものであり、コネクタ用開口とコネクタとの間のクリアランスを大きくした場合でも、コネクタ用開口とコネクタとの隙間から針金等の異物を挿入した不正行為を防止することができるようにした回路基板収納ケースを提供することを目的とする。
【課題を解決するための手段】
【０００８】
上記目的を達成するために、本発明の回路基板収納ケースは、回路基板がケース内部に収納され、該回路基板に設けられた基板側コネクタにケーブル側コネクタを接続させる際に、該ケーブル側コネクタが挿通されるコネクタ用開口を備えた回路基板収納ケースにおいて、前記コネクタ用開口の周縁部に、且つケース外部に向けて突出するように設けられた周壁と、前記周壁に設けられた係止爪と、前記ケーブル側コネクタを有するケーブルが挿通される挿通孔を有し、前記係止爪と係合することによって前記コネクタ用開口を被覆するカバーと、を備えたことを特徴とする。
【０００９】
また、前記カバーは、その内部に前記周壁が挿入される挿入部を備え、該挿入部に前記係合爪が係合される係合部が設けられていることが好ましい。
【００１０】
また、前記コネクタ開口の周縁部には、前記収納される回路基板に向けて突出する隔離壁を備えていることが好ましい。
【発明の効果】
【００１１】
本発明の回路基板収納ケースによれば、回路基板がケース内部に収納され、該回路基板に設けられた基板側コネクタにケーブル側コネクタを接続させる際に、該ケーブル側コネクタが挿通されるコネクタ用開口を備えた回路基板収納ケースにおいて、前記コネクタ用開口の周縁部に、且つケース外部に向けて突出するように設けられた周壁と、前記周壁に設けられた係止爪と、前記ケーブル側コネクタを有するケーブルが挿通される挿通孔を有し、前記係止爪と係合することによって前記コネクタ用開口を被覆するカバーと、を備えたから、コネクタ用開口とコネクタとの間に生じた隙間から、針金等の異物を挿入して回路基板収納ケースに収納された回路基板を短絡させるという不正行為を防止することができる。また、このような構成にすることにより、開口とコネクタとの間のクリアランスを大きくすることが可能となり、基板側コネクタとケーブル側コネクタとを接続させる、或いは基板側コネクタとケーブル側コネクタとの接続を解除する際の作業性を向上させることも可能となる。
【００１２】
また、前記カバーは、その内部に前記周壁が挿入される挿入部を備え、該挿入部に前記係合爪が係合される係合部が設けられているから、例えばカバーに設けられた挿入部の大きさを、周壁の大きさよりも、若干小さく設けた場合には、カバーの組み付け、取り外しが難しくなるから、カバーを取り外して、回路基板を不正に交換する等の不正行為を抑制する効果がある。
【００１３】
また、前記コネクタ開口の周縁部には、前記収納される回路基板に向けて突出する隔離壁を備えているから、コネクタ開口から露呈する基板側コネクタと、回路基板に配設される他の回路構成部品とを隔離することができ、仮にカバーとケーブルとの間に生じる隙間から針金等の異物を挿入することができたとしても、この周壁によって制御回路基板上に配設される他の回路構成部品まで、針金等の異物の到達を防止することができる。
【発明を実施するための最良の形態】
【００１４】
図１に示すように、スロットマシン２は、収納箱４と、この収納箱４の前面に設けられた前面扉５とからなる筐体３の内部に、後述する第１リール１０、第２リール１１、第３リール１２、電源装置３５（図２参照）、ホッパー装置３６（図２参照）等が配設された構成となっている。
【００１５】
前面扉５は、上部扉６と下部扉７との２枚の扉から構成される。上部扉６には表示窓８が設けられている。この表示窓の奥には第１リール１０、第２リール１１，第３リール１２が配設されている。周知のように、第１リール１０、第２リール１１、第３リール１２の外周面には、例えば複数種類の図柄が複数個配列されている。第１リール１０、第２リール１１、第３リール１２が停止すると、第１リール１０、第２リール１１、第３リール１２の図柄が各３個表示窓８から表示され、表示窓８を通して計９個の図柄が表示される。
【００１６】
下部扉７の上部には、遊技の開始時に操作される１枚ベットボタン２０、ＭＡＸベットボタン２１、ペイアウトボタン２２などの各種の操作ボタンが設けられている。
【００１７】
１枚ベットボタン２０は、投入されたメダルを１枚使用して遊技を行う場合に押圧操作されるボタンである。ＭＡＸベットボタン２１は、投入されたメダルを最大使用枚数（例えば３枚）使用して遊技を行う場合に押圧操作される。なお、投入されたメダルとは、メダル投入口２８から直接メダルを投入するほかに、クレジットされたメダルを含む。
【００１８】
これらボタンの近傍には、スタートレバー２３や、第１ストップボタン２５、第２ストップボタン２６、第３ストップボタン２７が設けられている。スタートレバー２３は、遊技を実行する際に操作される。第１ストップボタン２５は、回転する第１リール１０を停止させる際に押圧操作されるボタンである。同様にして、第２ストップボタン２６、第３ストップボタン２７は、回転する第２リール１１、第３リール１２をそれぞれ停止させる際に押圧操作されるボタンである。
【００１９】
また、下部扉７には、遊技を行う際にメダルを投入するためのメダル投入口２８が設けられている。メダル投入口２８の奥にはセレクタが組み込まれ、不適正なメダルはメダル払出口２９を介してメダル受け皿３０に排出される。また、セレクタは、例えば遊技の途中や各種の操作ボタンが押されたままの状態で投入された等の不適切なタイミングでメダルの投入が行われたときに、投入されたメダルをメダル受け皿３０に排出する。なお、遊技の開始に先立って投入するメダルの枚数は１〜３枚に限られているため、クレジット機能を用いていないときには４枚目以降に投入されたメダルはメダル受け皿３０に排出される。
【００２０】
一方、クレジット機能がオン状態のときには４枚目以降に投入されたメダルは、セレクタに設けられたメダルセンサ（図示せず）で検知された後、例えば５０枚を限度にスロットマシン２の内部に貯留される。このクレジット機能を用いているときには、前述した１枚ベットボタン２０やＭＡＸベットボタン２１の操作によりメダルの投入操作が行われ、そのベット枚数がクレジット枚数から逐次に減算される。また、遊技の結果、入賞が得られたときには配当となるメダルもクレジットされ、ペイアウトボタン２２を操作したときにクレジットされているメダルがメダル受け皿３０に払い出される。
【００２１】
図２に示すように、筐体３を構成する収納箱４の内部には、電源装置３５、ホッパー装置３６、第１リール１０、第２リール１１、第３リール１２を備えたリールユニット３７等が組み付けられる。なお、図２では、図の煩雑さを防止するために、第１リール１０、第２リール１１、第３リール１２の外周に配置される複数の図柄を省略してある。電源装置３５は、スロットマシン２の電力を供給するためのものである。
【００２２】
ホッパー装置３６は、収納箱４の下部に設けられている。ホッパー装置３６は、このスロットマシン２で遊技を行って入賞を得た場合に作動し、入賞に対するメダルを連続してメダル受け皿３０に払い出す。このホッパー装置３６の上部には、払出し用のメダルを貯留する貯留タンク３７が設けられている。この貯留タンク３７には、メダル投入口２８から投入されたメダルが貯留される。オーバーフロー用の貯留箱３８は、ホッパー装置３６の貯留タンク３７に貯留されたメダルが所定量を超えたときに、貯留タンク３７から排出されたメダルが貯留される。
【００２３】
この収納箱４の上部には、遊技制御回路基板（回路基板）４０が回路基板収納ケース４１に収納された状態で配設されている。図３に示すように、遊技制御回路基板４０は、回路パターンが設けられた基板４５上にＣＰＵ（Ｃｅｎｔｒａｌ  Ｐｒｏｃｅｓｓｉｎｇ  Ｕｎｉｔ）４６、ＲＯＭ（Ｒｅａｄ  Ｏｎｌｙ  Ｍｅｍｏｒｙ）４７、ＲＡＭ（Ｒａｎｄｏｍ  Ａｃｃｅｓｓ  Ｍｅｍｏｒｙ）４８等の回路構成部品が組み付けられることによって形成された制御回路を有している。また、この他に、スロットマシン２に配設される他の制御回路基板や、電源装置３５等のスロットマシン２を構成する他の装置と、電気的に接続するための基板側コネクタ４９が配設されている。なお、以下では、遊技制御回路基板４０に基板側コネクタ４９が１つ配設されている場合について説明する。
【００２４】
図３及び図４に示すように、回路基板収納ケース４１は、前ケース５０、後ケース５１及びカバー５２とから構成されている。前ケース５０は、その後面が開口された略箱形状から構成されている。この前ケース５０の前面下部には、開口（コネクタ用開口）５５が形成されている。この開口５５は、遊技制御回路基板４０に設けられた基板側コネクタ４９を露呈するために設けられている。
【００２５】
この開口５５の周縁部には、略筒状の周壁５６が前ケース５０の前面から突出するように設けられている。この周壁５６の先端部には、係止爪５７が周壁５６の全周に亘って設けられている。この係止爪５７は、周壁５６の先端に向けて細くなるように形成されている。なお、この周壁５６の長手方向の幅をＤ１とすると、係止爪５７の最大幅Ｄ３は、Ｄ１＋２Ｄ４（Ｄ４：周壁５６と直交する壁面５７ｂの幅）となるように設けられている。また、周壁５６の短手方向の幅をＤ２とすると、係止爪５７の最大幅Ｄ５は、Ｄ２＋２Ｄ４となるように設けられている。なお、この周壁５６の内壁面は、開口５５の内壁面と同一平面となるように設けられている。
【００２６】
また、この開口５５の周縁部には、前ケース５０の後面側に突出する略筒状の周壁（隔離壁）５８が設けられている。この周壁５８は、前ケース５０及び後ケース５１によって遊技制御回路基板４０が収納されたときに、遊技制御回路基板４０に設けられた基板側コネクタ４９と、遊技制御回路基板４０に配設された他の回路構成部品とを隔離するために設けられている。なお、この周壁５８の内壁面は、開口５５の内壁面と同一平面となるように設けられている。
【００２７】
後ケース５１は、前面が開口された箱形形状から形成されている。この開口された部分には、遊技制御回路基板４０が例えばネジ等により組み付けられる。なお、この後ケース５１は、その開口された部分が、前ケース５０の開口された部分と対面されるように、前ケース５０が組み付けられる。なお、前ケース５０と後ケース５１とを組み付ける方法は、例えば前ケース、後ケースのいずれか一方に係合孔を、他方に係止爪をそれぞれ設け、これら係合孔と係止爪とを係合させることによって前ケース５０と後ケース５１とを一体に組み付けるようにしたり、前ケース５０と後ケース５１とをネジ等により固定する等、適宜の方法を用いて一体に組み付けることが可能である。
【００２８】
図５に示すように、カバー５２は、上述した前ケース５０に設けられる開口５５を被覆するために設けられている。このカバー５２は、例えば塩化ビニル等のプラスチックから形成されており、遊技制御回路基板４０上の遊技制御回路と、他の制御回路、もしくはスロットマシン２を構成する装置と電気的接続を行うためのケーブル６５に組み付けられている。このカバー５２は、例えば略直方体と截頭角錐とが一体に形成された形状から構成されている。このカバー５２の上面から底面に向けて、ケーブル６５をそれぞれ挿通させるための貫通孔６６ａ〜６６ｍが形成されている。これら貫通孔６６ａ〜６６ｍは、ケーブルの断面形状に合わせた形となっている。なお、本実施形態では貫通孔をケーブルのそれぞれに対応して設けた場合の例を説明するが、これに限定する必要はなく、貫通孔を長孔形状から構成する等、ケーブル６５の形状に合わせて形成することが可能である。なお、これら場合、貫通孔のその中心軸に直交する断面の大きさは、ケーブル６５の長手方向に直交する断面よりも小さく形成されていることが好ましい。
【００２９】
図６に示すように、カバー５２の下面の略中央には、収納部（挿入部）６７が設けられている。この収納部６７は、上述した前ケース５０に設けられた周壁５６及び係止爪５７が収納される空間である。この収納部６７の上方の空間６７ａは略直方体状となっており、その底部の空間６７ｂが截頭角錐形状に形成されている。空間６７ａの長手方向の幅Ｄ７は、Ｄ７≦Ｄ１となるように形成されている。また、空間の短手方向の幅Ｄ８は、Ｄ８≦Ｄ２となるように形成されている。
【００３０】
なお、截頭角錐形状の空間６７ｂを形成する側壁面６７ｃ、６７ｄ、６７ｅ、６７ｆは、係止爪５７の斜面５７ａと同一の傾斜を有する斜面から構成されている。この截頭角錐形状の空間６７ｂに、周壁５６に設けられた係止爪５７が挿入されることによって、係止爪５７を構成する壁面５７ｂと、截頭角錐形状の空間６７ｂを形成する壁面（係合部）６７ｇとが当接し、カバー５２が前ケース５０に係合される。なお、截頭角錐形状の空間６７ｂの長手方向の最大幅Ｄ９は、Ｄ９≧Ｄ３となるように、短手方向の最大幅Ｄ１０は、Ｄ１０≧Ｄ５となるように形成されている。
【００３１】
次に、本実施形態の作用について説明する。まず、図３に示すように、後ケース５１に回路構成部品が配設された遊技制御回路基板４０を組み付けた後に、前ケース５０と後ケース５１とを一体に組み付ける。図７に示すように、前ケース５０と後ケース５１とを一体に組み付けると、その内部に収納された遊技制御回路基板４０の基板側コネクタ４９が、前カバー５０の周壁５８の内部に挿通される。周壁５８は、前カバー５０の後面側に突出するように設けられており、この周壁５８の先端が、遊技制御回路基板４０に当接した状態で保持される。これにより、基板側コネクタ４９が、遊技制御回路基板４０に配設された他の回路構成部品と隔離されることになる。なお、遊技制御回路基板４０は、前ケース５０と後ケース５１との内部に収納された状態で収納箱４の上方に配設される。
【００３２】
その後、図７〜図９に示すように、スロットマシン２として機能させるために、遊技制御回路基板４０を、収納箱４に配設された他の装置や、他の基板収納ケースに収納された制御回路基板等と電気的に接続させる。例えばケーブル６５等を用いて電気的に接続する場合には、ケーブル６５の端部に設けられたケーブル側コネクタ７０を遊技制御回路基板４０の基板側コネクタ４９に接続させる。ケーブル６５には、カバー５２が組み付けられているから、ケーブル側コネクタ７０と基板側コネクタ４９とを接続した後に、カバー５２をケーブル側コネクタ７０に向けて（図７中Ｆ方向に）スライドさせる。
【００３３】
カバー５２をケーブル側コネクタ７０に向けてスライドさせると、カバー５２に設けられた収納部６７の空間６７ａに係止爪５７が挿入されていく。係止爪５７は、その先端に向けて細くなる形状となっており、また、係止爪５７の最大幅Ｄ３、Ｄ５は、カバー５２の収納部６７の空間６７ａの幅Ｄ７，Ｄ８よりもそれぞれ広く形成されているから、収納部６７の空間６７ａに係止爪５７が挿入されることによって、カバー５２が図８中Ｇ方向に歪んでいく。そして、係止爪５７が収納部６７の空間６７ｂまで挿入されると、カバー５２がその復帰力によって元の形状に戻ることになる。このとき、収納部６７の空間６７ｂを構成する内壁面６７ｇと、係合爪５７の壁面５７ｂとが当接することで、係止爪５７がカバー５２に係合される。
【００３４】
係止爪５７がカバー５３に係合されると、前ケース５０の開口５５がカバー５２によって被覆されることになる。例えばカバー５２の貫通孔６６ａ〜６６ｍの内径をケーブルの外径よりも小さく形成することで、貫通孔６６ａ〜６６ｍの端部がそのスライド方向に反して引っ張られることになる。これにより、貫通孔６６ａ〜６６ｍとケーブル６５との隙間の発生を防止することができる。例えばケーブル６５とカバー５２との隙間から、或いはカバー５２と周壁５６との隙間から針金等の異物を挿入することができなくなるので、針金等を用いて遊技制御回路基板４０上の回路を短絡させる等の不正行為を防止することができる。また、ケーブル６５とカバー５２との隙間から、或いはカバー５２と周壁５６との隙間から針金等の異物を挿入することができたとしても、前ケース５０の後方に突出する周壁５８によって、基板側コネクタ４９と、遊技制御回路基板４０に配設された他の回路構成部品とが隔離されるため、針金等を用いて回路構成部品に対する不正な行為を防止することができる。
【００３５】
なお、ケーブル側コネクタ７０を基板側コネクタ４９から取り外す場合には、まずカバー５２を、工具等を用いて、係止爪５７とカバー５２との係合を解除し、図８中Ｇ方向にスライドさせる。その後に、ケーブル側コネクタ７０と基板側コネクタ４９との接続を解除する。これにより、例えば基板側コネクタ４９と、前ケース５０の周壁５６との隙間を大きくしても、カバー５２によって開口５５が被覆されることになり、ケーブル側コネクタ７０の取り外し、取り付け作業を向上させることができる。
【００３６】
なお、図１０に示すように、カバー５２に設けられた貫通孔６７ａ〜６７ｍと、ケーブル６５との隙間ができる場合には、貫通孔６７ａ〜６７ｍの内壁面に、進入防止片８０を設けることも可能である。この場合、カバー５２を前ケース５０に向けてスライドさせると、進入防止片８０がケーブル６５に摺接しながらスライドすることになり、貫通孔とケーブルとの隙間を無くすことができる。これにより、ケーブル６５と貫通孔６７ａ〜６７ｍとの隙間から針金等の異物を挿入させることを防止することできる。
【００３７】
本実施形態では、遊技制御回路基板に基板側コネクタを１つ設けた場合の例を取り上げたが、これに限定する必要はなく、基板側コネクタを複数配設された遊技制御回路基板についても、本発明を用いることが可能である。また、遊技制御回路基板の例を取り上げたが、これに限定する必要はなく、基板収納ケースに収納される制御回路基板であれば、本発明を実施することが可能である。
【００３８】
本実施形態では、周壁５６，５８の内壁面を、開口５５の内壁面とそれぞれ同一平面となるように設けたが、これに限定する必要はなく、周壁５６，５８は開口５５の周縁部に設けられていれば良く、周壁５６，５８の内壁面を、開口５５の内壁面とそれぞれ同一平面となるように設ける必要はない。
【００３９】
本実施形態では、前ケースの開口の周縁部に、且つ収納される回路基板に向けて突出する周壁を設けたが、これに限定する必要はなく、カバーと係止爪との係合が確実に行われ、且つ、カバーに設けられた貫通孔と、貫通孔に挿通されるケーブルとの間に隙間が生じない、或いは隙間が生じていても隙間に異物が挿入できない程度の隙間である場合には、この周壁を設ける必要はない。
【００４０】
本実施形態では、遊技機としてスロットマシンの例を取り上げたが、これに限定する必要はなく、パチンコ機や、他の遊技機に本発明を実施することが可能である。
【図面の簡単な説明】
【００４１】
【図１】本発明のスロットマシンの外観を示す斜視図である。
【図２】スロットマシン内部の構成を示す斜視図である。
【図３】遊技制御回路基板、及び回路基板収納ケースの構成を示す斜視図である。
【図４】図３に示すＡの部分を拡大し、且つ開口近傍の一部を断面から示す斜視図である。
【図５】カバーの上面の構成を示す斜視図である。
【図６】カバーの底面の構成を示す斜視図である。
【図７】ケーブル側コネクタを基板側コネクタに差し込む際の、前ケースに設けられた開口近傍を示す断面図である。
【図８】カバーを前ケースに向けてスライドさせた際の、前ケースに設けられた開口近傍を示す断面図である。
【図９】カバーが前ケースに組み付けたときの、前ケースに設けられた開口近傍を示す断面図である。
【図１０】カバーに設けられた開口の内壁面に進入防止片を設けたときの、前ケースに設けられた開口近傍を示す断面図である。
【符号の説明】
【００４２】
２  スロットマシン
４０  遊技制御回路基板
４１  回路基板収納ケース
５０  前ケース
５１  後ケース
５２  カバー
５５  開口（コネクタ用開口）
５６  周壁
５７  係止爪
５８  周壁（隔離壁）
６６ａ〜６６ｍ  貫通孔
６７  収納部（挿入部）
６７ｇ  壁面（係合部）
【図１】
2006198257.tif 000003
【図２】
2006198257.tif 000004
【図３】
2006198257.tif 000005
【図４】
2006198257.tif 000006
【図５】
2006198257.tif 000007
【図６】
2006198257.tif 000008
【図７】
2006198257.tif 000009
【図８】
2006198257.tif 000010
【図９】
2006198257.tif 000011
【図１０】
2006198257.tif 000012